(57)【要約】【課題】従来の包帯は帯状であるため、例えばアトピー性皮膚炎など、患部が広い範囲にわたる場合には、患部を包帯で覆う作業や包帯を交換する作業が煩わしく、また、患者が一人でこれらの作業を行うことができなかった。なお、包帯をチューブ状に形成して適宜の長さに切断して用いるものも知られているが、腕の付け根などの患部を十分に覆うことができず、また切断部分からほつれて耐久性に欠けていた。【解決手段】伸縮性に優れた織物素材を用いて着用することのできる着用包帯１とした。なお、袖口３１などの開口部分は二重環縫いでかがり、織物素材が伸びてもかがり糸が切れないようにした。また、縫い合わせ部分４は偏平縫いでおこない、皮膚への刺激を低減した。【選択図】  図１
2006247162.tif 000002
【特許請求の範囲】
【請求項１】
上部に襟用の開口が設けられ裾が開放された身ごろと、身ごろの左右に袖部が連結された着用可能なことを特徴とする着用包帯。
【請求項２】
上記身ごろと袖部との連結を、偏平縫い（フラットシーム）で行ったことを特徴とする請求項１に記載の着用包帯。
【請求項３】
上記身ごろと袖部とは、伸張率１４０％以上であって、伸長回復率８０％以上の織物素材を用いたことを特徴とする請求項１または請求項２に記載の着用包帯。
【請求項４】
上記襟、裾、および袖口を二重環縫いで始末したことを特徴とする請求項３に記載の着用包帯。
【請求項５】
上記身ごろと袖部とを構成する織物素材は、抗菌性を備えた糸が織り込まれていることを特徴とする請求項１から請求項４のいずれかに記載の着用包帯。
【発明の詳細な説明】
【技術分野】
【０００１】
本発明は、衣服と同じように着用することのできる包帯に関する。
【背景技術】
【０００２】
従来の包帯は特許文献を示すまでもなく、伸縮性を備えた織物素材を帯状に形成したものであり、患部を覆うように何重にも巻き付けて使用されていた。
【０００３】
しかし、このような帯状の包帯では、特にアトピー性皮膚炎のように、患部が全身に広く存在する場合には、患部に巻き付ける作業が煩わしく、また患部から取り外す際にも取り外した包帯を整然と巻き整えることが困難であった。さらに、広い患部を覆うためには包帯が長尺となるが、長尺の包帯では洗濯した後乾燥させる際に、地面などに接触しないように物干し竿にかける作業も長時間を要していた。
【０００４】
そこで、包帯をチューブ状とし、そのチューブ状の包帯を患部の大きさ等によって必要な長さに切断し、切断されたチューブ状の包帯で患部を覆うようにしたものが知られている（例えば、特許文献１参照）。
【特許文献１】特開２００２−３１５７７４号公報（請求項１）
【発明の開示】
【発明が解決しようとする課題】
【０００５】
上記公報に記載のチューブ状の包帯では、例えば腕と胴体との跨って患部がある場合に、腕の患部を覆う包帯と胴体の患部を覆う包帯とを別個に設け、腕と胴体とに別々に装着しなければならない。そのため、腕の付け根部分の患部を覆うことができないという不具合が生じる。
【０００６】
また、切断されたチューブ状の包帯の両端部は糸がほつれており、再使用するため洗濯すると、ほつれが大きくなり、きわめて耐久性に乏しいという問題点がある。
【０００７】
そこで本発明は、上記の問題点に鑑み、上記の不具合を解消することのできる着用包帯を提供することを課題とする。
【課題を解決するための手段】
【０００８】
上記課題を解決するために本発明による着用包帯は、上部に襟用の開口が設けられ裾が開放された身ごろと、身ごろの左右に袖部が連結された着用可能なことを特徴とする。
【０００９】
なお、特にアトピー性皮膚炎の患者に着用させる際には、患部や皮膚が過敏となっているので身ごろと袖部とを連結する縫い代が皮膚に擦れて苦痛となる。そこで、上記身ごろと袖部との連結を、偏平縫い（フラットシーム）で行い、縫い代が皮膚に極力当たらないようにした。
【００１０】
なお、通常のＴシャツでは皮膚とＴシャツとの間にある程度の空間が確保されないと窮屈で身体を動かせないばかりか、着ることすらできない。一方、包帯では軽い力で包帯が常に患部に接している必要がある。そこで、上記身ごろと袖部とは、伸張率１４０％以上であって、伸長回復率８０％以上の織物素材を用いた。
【００１１】
また、このように伸縮性に優れた織物素材を用いるとほつれの始末をするための縫い糸が伸びに追従できず、切れてしまう場合が生じる。そこで、上記襟、裾、および袖口を二重環縫いで始末し、織物素材の伸びに縫い糸が追従して切れないようにした。
【００１２】
本発明はあくまで包帯であるため、通常の衣服よりも更に細菌の増殖を抑えることが望まれる。そこで、上記身ごろと袖部とを構成する織物素材は、抗菌性を備えた糸が織り込まれるようにした。
【発明の効果】
【００１３】
以上の説明から明らかなように、本発明は、衣服のように包帯を着用できるので、患部が広範囲にわたる場合であっても、患部全体を包帯で覆うことができる。そして、患部を覆う作業や患部を覆っている包帯を交換する作業等を簡易迅速に行うことができ、さらに、洗濯を容易に行えるので再利用性に優れている。
【発明を実施するための最良の形態】
【００１４】
図１を参照して、１は本発明による着用包帯であり、身ごろ２と、この身ごろ２の左右に連結された１対の袖部３とから構成されている。この身ごろ２および両袖部３は共に同じ織物素材で形成されている。この織物素材は特に伸縮性を持たせたもので、いわゆる伸縮織物に相当する。
【００１５】
この織物素材は、具体的にはレーヨン１００％の糸を用いて天竺織りにしたものであり、更に伸縮性に優れたポリウレタン入りナイロン糸を所定の割合で編み込んだものである。なお、このレーヨン糸の原料であるレーヨンにはキトサンが含有されており、抗菌性が付与されている。
【００１６】
日本工業規格（ＪＩＳ）Ｌ１０９６の８．１４．１による定速伸長法で測定した伸長率は１５７％であった。また同規格の８．１４．２による伸長回復率は３０秒後で８６．２％であった。
【００１７】
このように伸長性に優れた織物素材を用いているので、開口部分である襟２１や裾２２、あるいは袖口３１のかがり部２１ａ，２２ａ，３１ａを、この織物素材より伸長性が少ない布地を用いている通常のＴシャツなどと同じかがり方法で行うと、かがりに使用した糸が織物素材の伸びに追従できず切れてしまうおそれがある。そこで、本発明では、これら開口部分のかがりを、二重環縫いで行った。
【００１８】
この二重環縫いは通常の織物素材では必要がないため用いられず、主にニットの地縫いに用いられるものである。本発明ではその二重環縫いを織物素材からなる着用包帯１に用いた。
【００１９】
つぎに、身ごろ２と両袖部３とを相互に連結しなければならないが、連結部４の縫いを偏平縫いで行った。この偏平縫いはフラットシームと呼ばれるもので、合わせ部分が平らに縫うことができ、着用した状態で肌に与える刺激をきわめて小さくすることができる。
【００２０】
なお、本実施の形態では身ごろ２を前身ごろと後身ごろとを縫い合わせたが、その縫い合わせ部２３も同じく偏平縫いによって縫い合わせた。また、袖部３の縫い合わせ部３２も同様に偏平縫いによって縫い合わせた。ただし、身ごろ２および袖部３を筒状に編み上げてもよい。
【００２１】
なお、本発明は上記した形態に限定されるものではなく、本発明の要旨を逸脱しない範囲内において種々の変更を加えてもかまわない。
【図面の簡単な説明】
【００２２】
【図１】本発明の一実施の形態の構成を示す図
【符号の説明】
【００２３】
１  着用包帯
２  身ごろ
３  袖部
【図１】
2006247162.tif 000003